(57)【要約】【課題】絶縁被覆側から圧着部の内部への水分の浸入を確実に防止すること。【解決手段】圧着端子２２０における圧着部２３５をかしめて圧着する複数の圧着構成型１１０を３以上の配置数で備えるとともに、圧着部２３５の外周側において、周方向で隣り合うそれぞれが互いに摺動しながら径方向に移動可能に構成し、圧着構成型１１０における圧着部２３５との対向面に、圧着部２３５を圧着する圧着面１６０を形成するとともに、圧着構成型１１０における圧着部２３５と対向しない非対向面に、周方向で隣接する圧着構成型１１０における圧着面１６０上を摺動する摺動面１７０を形成した。【選択図】図１
2015005363.tif 000002
【特許請求の範囲】
【請求項１】
導体を絶縁被覆で被覆した被覆電線における少なくとも、先端側の前記絶縁被覆を剥離した導体先端部を、圧着端子における中空状に形成した圧着部に挿入した状態で、前記圧着部をかしめて圧着する圧着型であって、
前記圧着部をかしめて圧着する複数の圧着構成型を構成し、
前記圧着構成型を、３以上の配置数で備えるとともに、
前記圧着部の外周側に、周方向で隣り合うそれぞれが互いに面接触状態に配置し、
前記圧着部をかしめるかしめ位置と、該かしめ位置よりも径外方向で前記圧着部に対して離間した非かしめ位置との間において、周方向で隣り合うそれぞれが互いに摺動しながら径方向に移動可能に構成し、
前記圧着構成型における前記圧着部との対向面に、前記圧着部を圧着する圧着面を形成するとともに、前記圧着構成型における前記圧着部と対向しない非対向面に、周方向で隣接する圧着構成型における前記圧着面上を摺動する摺動面を形成した
端子圧着型。
【請求項２】
前記圧着構成型を、
多角形状にかしめた圧着後の前記圧着部における外周面の突部の数に対応した任意の整数ｎの配置数で備え、
前記圧着面と前記摺動面とが成す内角であるかしめ角度を、３６０／ｎ度となるように構成した
請求項１に記載の端子圧着型。
【請求項３】
前記圧着構成型を、
前記圧着面と前記摺動面との双方の面に直交する直交断面形状が正ｎ角形となるように構成した
請求項２に記載の端子圧着型。
【請求項４】
複数の前記圧着構成型のうち、少なくとも一つの前記圧着構成型を、所定の圧着構成型に設定し、前記所定の圧着構成型における前記摺動面に、圧着面が対向した状態で隣接する圧着構成型を、摺動面隣接側圧着構成型に設定し、
前記所定の圧着構成型の前記圧着面から前記摺動面隣接側圧着構成型の前記圧着面に沿って突出する曲面形成突片を、前記摺動面隣接側圧着構成型の前記圧着面と前記所定の圧着構成型の前記圧着面との間の隅角部分に備え、
前記曲面形成突片の内周面を、曲面形状で形成した
請求項１乃至３のいずれかに記載の端子圧着型。
【請求項５】
前記圧着構成型を、前記圧着部の外周側に６つ備え、
前記曲面形成突片の内周面を、所定の半径を有する円弧状に形成した
請求項４に記載の端子圧着型。
【請求項６】
導体を絶縁被覆で被覆した被覆電線における少なくとも、先端側の前記絶縁被覆を剥離した導体先端部を、圧着端子における中空状に形成した圧着部に挿入した状態で、前記圧着部を圧着型でかしめて圧着する端子圧着装置であって、
前記圧着部をかしめて圧着する端子圧着型を、請求項１から５のうちいずれか一項に記載の端子圧着型で構成し、
前記端子圧着型を構成する複数の前記圧着構成型を前記かしめ位置と前記非かしめ位置との間において移動させる移動手段を備えた
端子圧着装置。
【請求項７】
導体を絶縁被覆で被覆した被覆電線における少なくとも、先端側の前記絶縁被覆を剥離した導体先端部を、圧着端子における中空状に形成した圧着部に挿入した状態で、前記圧着部を圧着型でかしめて圧着する端子圧着方法であって、
前記圧着部をかしめて圧着する圧着構成型を、３以上の配置数で備えるとともに、前記圧着部の外周側に、周方向で隣り合うそれぞれが互いに面接触状態に配置し、
前記圧着構成型は、前記圧着部をかしめるかしめ位置と、該かしめ位置よりも径外方向で前記圧着部に対して離間した非かしめ位置との間において、周方向で隣り合うそれぞれが互いに摺動しながら径方向に移動可能な構成であるとともに、
前記圧着構成型における前記圧着部との対向面に、前記圧着部を圧着する圧着面を形成するとともに、前記圧着構成型における前記圧着部と対向しない非対向面に、周方向で隣接する圧着構成型における前記圧着面上を摺動する摺動面を形成した構成であり、
前記圧着部に対して外周側に配置した複数の前記圧着構成型のそれぞれを、それぞれの前記圧着面によって前記圧着部を囲繞する囲繞空間が縮小するように前記摺動面を摺動させながら径内方向へ移動させて、複数の前記圧着構成型によって前記圧着部を、前記囲繞空間と同一形状にかしめることを特徴とする
端子圧着方法。
【請求項８】
前記圧着構成型は、
多角形状にかしめた圧着後の前記圧着部における外周面の突部の数に対応した任意の整数ｎの配置数で備え、
前記圧着面と前記摺動面とが成す内角であるかしめ角度は、３６０／ｎ度となる構成であり、
前記圧着構成型のそれぞれを、前記囲繞空間が同一形状に保ちながら縮小するように径内方向へ移動させて、複数の前記圧着構成型によって前記圧着部を、前記囲繞空間と同一形状にかしめることを特徴とする
請求項７に記載の端子圧着方法。
【請求項９】
導体を絶縁被覆で被覆した被覆電線における少なくとも、先端側の前記絶縁被覆を剥がして前記導体を露出させた導体先端部に対して、圧着端子における中空状に形成した圧着部をかしめて圧着接続した圧着接続構造体であって、
前記圧着部をかしめて圧着する圧着構成型を、３以上の配置数で備えるとともに、前記圧着部の外周側に、周方向で隣り合うそれぞれが互いに面接触状態に配置し、
前記圧着構成型は、前記圧着部をかしめるかしめ位置と、該かしめ位置よりも径外方向で前記圧着部に対して離間した非かしめ位置との間において、周方向で隣り合うそれぞれが互いに摺動しながら径方向に移動可能な構成であるとともに、
前記圧着構成型における前記圧着部との対向面に、前記圧着部を圧着する圧着面を形成するとともに、前記圧着構成型における前記圧着部と対向しない非対向面に、周方向で隣接する圧着構成型における前記圧着面上を摺動する摺動面を形成した構成であり、
前記圧着部に対して外周側に配置した複数の圧着構成型のそれぞれを、それぞれの前記圧着面によって前記圧着部を囲繞する囲繞空間が縮小するように前記摺動面を摺動させながら径内方向へ移動させて、複数の前記圧着構成型によって前記圧着部を、前記囲繞空間と同一形状にかしめて圧着した圧着部を備えた
圧着接続構造体。
【請求項１０】
請求項９に記載の接続構造体を複数備えるとともに、前記接続構造体における前記圧着端子を収容可能なコネクタハウジングを備え、
前記圧着端子をコネクタハウジング内に配置した
ワイヤハーネス。
【発明の詳細な説明】
【技術分野】
【０００１】
この発明は、導体を絶縁被覆で被覆した被覆電線における少なくとも、先端側の前記絶縁被覆を剥離した導体先端部を、圧着端子における圧着部に挿入した状態で、前記圧着部をかしめて圧着する端子圧着型、該端子圧着型を備えた端子圧着装置、端子圧着型を用いて圧着部を圧着する端子圧着方法、並びに圧着部を導体先端部に圧着接続した圧着接続構造体に関する。
【背景技術】
【０００２】
従来より、被覆電線における導体先端部と、圧着端子における圧着部とを圧着する際には、互いに対向状態に配置されたアンビル（固定型）とクリンパ（可動型）とで構成された１組の端子圧着型を用いて圧着していた。詳しくは、アンビルに圧着部をセットし、クリンパをアンビル側へ近接する方向に移動して導体先端部を挿入した状態の圧着部をかしめることで、導体先端部に対して圧着部を圧着接続する。  
例えば、特許文献１に開示の圧着金型構造もその一つである。
【０００３】
しかし、このように端子圧着型を、アンビルとクリンパとの２つの圧着構成型から成る一対で構成した場合、該一対の端子圧着型で圧着部と被覆電線の先端側とを圧着接続すると、一対の圧着構成型における圧着部との対向面の形状に沿って圧着端子の圧着部が塑性変形するため、例えば、アンビルとクリンパとが嵌合し合う直前の隙間に圧着部の肉が入り込み易くなるなどの要因により、圧着後の圧着部の外周面には、一対の圧着構成型の境界部分に沿ってパーティングラインのように突出したバリ等の突出部分が形成され易くなる。
【０００４】
圧着部の外周にバリ等の突出部分が形成された場合には、圧着部と被覆電線の絶縁被覆との圧着部分において、突出部分に相当する部分に隙間が生じるため、圧着部と絶縁被覆との密着性が低下するおそれがある。
【０００５】
そうすると、圧着部と被覆電線との隙間を通じて圧着部の基端側から導体先端部を備えた圧着部の内側に水分が浸入するおそれがあり、圧着接続構造体の止水性を確保できないという課題が生じていた。
【先行技術文献】
【特許文献】
【０００６】
【特許文献１】特開平７−３３５３６１号公報
【発明の概要】
【発明が解決しようとする課題】
【０００７】
そこで、この発明は、絶縁被覆側から圧着部の内部への水分の浸入を確実に防止することができる端子圧着型、端子圧着装置、端子圧着方法、及び圧着接続構造体を提供することを目的とする。
【課題を解決するための手段】
【０００８】
この発明は、導体を絶縁被覆で被覆した被覆電線における少なくとも、先端側の前記絶縁被覆を剥離した導体先端部を、圧着端子における中空状に形成した圧着部に挿入した状態で、前記圧着部をかしめて圧着する圧着型であって、前記圧着部をかしめて圧着する複数の圧着構成型を構成し、前記圧着構成型を、３以上の配置数で備えるとともに、前記圧着部の外周側に、周方向で隣り合うそれぞれが互いに面接触状態に配置し、前記圧着部をかしめるかしめ位置と、該かしめ位置よりも径外方向で前記圧着部に対して離間した非かしめ位置との間において、周方向で隣り合うそれぞれが互いに摺動しながら径方向に移動可能に構成し、前記圧着構成型における前記圧着部との対向面に、前記圧着部を圧着する圧着面を形成するとともに、前記圧着構成型における前記圧着部と対向しない非対向面に、周方向で隣接する圧着構成型における前記圧着面上を摺動する摺動面を形成したことを特徴とする。
【０００９】
上述した構成によれば、被覆電線の先端側において絶縁被覆側から圧着部の内部への水分の浸入を確実に防止することができる。  
詳しくは、導体先端部と圧着部とを圧着する際に、圧着部の外周に配置した上述した３つ以上の圧着構成型のそれぞれによって圧着部を圧着することにより、クリンパとアンビルとの２つ一組で成る従来の圧着構成型で圧着する場合と比較して、圧着に伴って圧着部に加わる荷重を圧着部の周方向全体において分散させた状態で圧着部を圧着できる。このため、例えば、圧着に伴って塑性変形した圧着部の肉が、互いに隣り合う圧着構成型間の隙間に入り込むことにより、圧着部の外周面にバリ、尖り、パーティングラインなど（以下、「バリ等」という。）のように大きく突出した突出部分が形成されることを防ぎ、圧着部を、円形状、又は円形状に近い多角形状に圧着することができる。
【００１０】
従って、例えば、絶縁被覆と圧着部との圧着部分において、圧着部を絶縁被覆に対してしっかりと密着させることができ、絶縁被覆側から圧着部の内部への水分の浸入を確実に防止することができる。
【００１１】
ここで前記端子圧着型は、圧着端子の圧着部の軸方向における、絶縁被覆の先端側を圧着する被覆圧着部をかしめる部分と、導体先端部を圧着する導体圧着部をかしめる部分とで別体に構成しても、一体に構成してもよい。
【００１２】
この場合、端子圧着型を構成する３以上の複数の前記圧着構成型は、被覆圧着部と導体圧着部との双方に同一の配置数又は、異なる配置数で配置するに限らず、例えば、導体圧着部の外周側には、クリンパとアンビルから成る従来の圧着型を配置するとともに、被覆圧着部の外周側には、本発明の圧着構成型を配置するなど、本発明の前記圧着構成型は、導体圧着部と被覆圧着部とのうち、少なくとも一方側の外周側にのみに配置してもよい。
【００１３】
また、複数備えた前記圧着構成型は、それぞれを同一の形状、大きさで構成するに限らず、異なる形状、大きさで構成してもよい。
【００１４】
この発明の態様として、前記圧着構成型を、多角形状にかしめた圧着後の前記圧着部における外周面の突部の数に対応した任意の整数ｎの配置数で備え、
前記圧着面と前記摺動面とが成す内角であるかしめ角度を、３６０／ｎ度となるように構成することができる。
【００１５】
上述したように、前記圧着面と前記摺動面とが成す内角であるかしめ角度を、３６０／ｎ度となるように構成することにより、前記圧着部に対して外周側に配置した複数の前記圧着構成型のそれぞれを、それぞれの圧着面によって前記圧着部を囲繞する囲繞空間を同一形状に保ちながら前記圧着部に向けて縮小する径内方向へ移動させて、複数の前記圧着構成型によって前記圧着部を、前記囲繞空間と同一形状にかしめることができる。
【００１６】
これにより、複数の前記圧着構成型のそれぞれ異なる変位量で移動して圧着部を強く圧着することがなく、複数の前記圧着構成型のそれぞれによって、圧着部を外周側から均等にかしめることができるため、圧着部の外周面に形成される突部が極端に大きく突出した構成となることを防ぐことができる。
【００１７】
また、複数の前記圧着構成型のそれぞれを均等に移動させることが可能であるため、複数の前記圧着構成型を備えた構成であっても、それぞれの前記圧着構成型を移動させる制御を容易に、且つ、正確に行うことが可能となる。
【００１８】
ここで、前記かしめ角度は、例えば、前記圧着面や前記摺動面の一部に、凹部や凸部を有していても、これら凹部や凸部が存在しないものとして、前記圧着面や前記摺動面の主要部分を構成する平坦な面よって成す内角を示すものとし、これら凹部や凸部によって実質的な値に影響を受けることがないものとする。  
また、前記突部は、多角形状の前記圧着構成型の頂角を有する部分を示すものとする。
【００１９】
またこの発明の態様として、前記圧着構成型を、前記圧着面と前記摺動面との双方の面に直交する直交断面形状が正ｎ角形となるように構成することができる。
【００２０】
上記構成によれば、前記直交断面形状が正ｎ角形になるように構成することで前記圧着構成型の全ての突部における内角（頂角）を、前記かしめ角度と同じ角度、すなわち、３６０／ｎ度となるように構成することができる。
【００２１】
これにより、前記圧着構成型を配置する姿勢に応じて、前記圧着構成型における、いずれの前記突部の内角についてもかしめ角度とすることができるため、前記圧着構成型をいずれの隅角部分においても、前記圧着面と前記摺動面との間の隅角部分として配置することが可能となる。
【００２２】
よって、前記圧着構成型を圧着部の外周に配置する際に、その姿勢を意識せずにスムーズ、且つ、正確に配置することができる。
【００２３】
またこの発明の態様として、複数の前記圧着構成型のうち、少なくとも一つの前記圧着構成型を、所定の圧着構成型に設定し、前記所定の着構成型における前記摺動面に、圧着面が対向した状態で隣接する圧着構成型を、摺動面隣接側圧着構成型に設定し、前記所定の圧着構成型の前記圧着面から前記摺動面隣接側圧着構成型の前記圧着面に沿って突出する曲面形成突片を、前記摺動面隣接側圧着構成型の前記圧着面と前記所定の圧着構成型の前記圧着面との間の隅角部分に備え、前記曲面形成突片の内周面を、曲面形状で形成することができる。
【００２４】
上述した構成によれば、圧着構成型によって圧着部を圧着する際に、圧着部における、隣り合う圧着構成型間に相当する部分を前記曲面形成突片の内周面によって、かしめることができる。これにより、圧着後の圧着部を、バリ等のように大きく突出した突出部分が外周面に存在しない圧着形状で構成することができる。
【００２５】
ここで前記曲面形成突片は、前記所定の圧着構成型の一部として一体に形成しても、前記所定の圧着構成型に対して着脱自在に別体で構成してもよい。
【００２６】
例えば、前記曲面形成突片のみを、圧着構成型よりも強度を高めるために、該圧着構成型の本体部分に対して別部材で形成する、或いは、熱処理などの強度を高めるための処理を施してもよい。
【００２７】
前記曲面形状は、例えば、孤状、直線状、波状など連続する面形状であれば特に限定しない。
【００２８】
またこの発明の態様として、前記圧着構成型を、前記圧着部に対して外周側に６つ備え、前記曲面形成突片の内周面を、所定の半径を有する円弧状に形成することができる。
【００２９】
上述したように、前記圧着構成型を、前記圧着部に対して外周側に６つ備えることで、６つの前記圧着構成型の内周面によって圧着部を囲繞する囲繞空間が６角形になるように構成することができるため、６つの前記圧着構成型によって、圧着部が６角形になるようにかしめることができる。
【００３０】
これにより、例えば、圧着部が５角形以下の多角形状にかしめた場合と比較して圧着部の外周面をより円に近い多角形状に圧着することができる。しかも、圧着構成型の数が例えば、７以上である場合と比較して圧着構成型の配置数が多くなりすぎないため、圧着部を圧着する際に、それぞれの前記圧着構成型を移動させるための構成が複雑にならず、又は、前記圧着構成型の管理を容易に行うことができる。
【００３１】
さらに、前記曲面形成突片の内周面を、所定の半径を有する円弧状に形成することで、圧着部の外周面における突部を曲面形成突片によってかしめる際に、６角形の圧着部の突部に相当する部分を円弧状にかしめることができるため、圧着部を６角形よりもさらに円形、又は略円形に近い形状に圧着することができる。
【００３２】
従って、例えば、絶縁被覆と圧着部との圧着部分において、圧着部を絶縁被覆に対してしっかりと密着させることができ、絶縁被覆側から圧着部の内部への水分の浸入を確実に防止することができる。
【００３３】
またこの発明は、導体を絶縁被覆で被覆した被覆電線における少なくとも、先端側の前記絶縁被覆を剥離した導体先端部を、圧着端子における中空状に形成した圧着部に挿入した状態で、前記圧着部を圧着型でかしめて圧着する端子圧着装置であって、上述した端子圧着型を構成する複数の前記圧着構成型を前記かしめ位置と前記非かしめ位置との間において移動させる移動手段を備えたことを特徴とする。
【００３４】
上述した構成によれば、圧着部の外周側に配置した複数の前記圧着構成型のそれぞれを、互いに協動させながら正確、且つ容易に移動させて圧着部と導体先端部とを圧着接続できるため、高品質の圧着接続構造体を大量に生産することが可能となる。
【００３５】
前記移動手段は、例えば、前記圧着構成型を保持する保持手段、前記圧着構成型を駆動させる駆動手段、前記駆動手段の駆動を前記圧着構成型に伝達する駆動伝達手段などで備えて構成することができる。
【００３６】
前記駆動手段は、例えば、モータ、或いは油圧ポンプなどの油圧装置、又はコンプレッサなどの空気圧装置で構成することができるが特に限定しない。
【００３７】
前記駆動伝達手段は、例えば、減速器、ガイド機構などで構成することができるが特に限定しない。
【００３８】
前記移動手段は、例えば、モータ等の駆動源を備えた構成に限らず、前記駆動伝達手段のみで構成してもよい。この場合、前記端子圧着装置は、人手により圧着可能な圧着工具のように構成することができる。
【００３９】
この発明は、導体を絶縁被覆で被覆した被覆電線における少なくとも、先端側の前記絶縁被覆を剥離した導体先端部を、圧着端子における中空状に形成した圧着部に挿入した状態で、前記圧着部を圧着型でかしめて圧着する端子圧着方法であって、前記圧着部をかしめて圧着する圧着構成型を、３以上の配置数で備えるとともに、前記圧着部の外周側に、周方向で隣り合うそれぞれが互いに面接触状態に配置し、前記圧着構成型は、前記圧着部をかしめるかしめ位置と、該かしめ位置よりも径外方向で前記圧着部に対して離間した非かしめ位置との間において、周方向で隣り合うそれぞれが互いに摺動しながら径方向に移動可能な構成であるとともに、前記圧着構成型における前記圧着部との対向面に、前記圧着部を圧着する圧着面を形成するとともに、前記圧着構成型における前記圧着部と対向しない非対向面に、周方向で隣接する圧着構成型における前記圧着面上を摺動する摺動面を形成した構成であり、前記圧着部に対して外周側に配置した複数の前記圧着構成型のそれぞれを、それぞれの前記圧着面によって前記圧着部を囲繞する囲繞空間が縮小するように前記摺動面を摺動させながら径内方向へ移動させて、複数の前記圧着構成型によって前記圧着部を、前記囲繞空間と同一形状にかしめることを特徴とする。
【００４０】
上述した構成によれば、例えば、絶縁被覆と圧着部との圧着部分において、圧着部を絶縁被覆に対してしっかりと密着させることができ、絶縁被覆側から圧着部の内部へ水分の浸入を確実に防止することができる端子圧着方法を提供することができる。
【００４１】
またこの発明の態様として、前記圧着構成型を、多角形状にかしめた圧着後の前記圧着部における外周面の突部の数に対応した任意の整数ｎの配置数で備え、前記圧着面と前記摺動面とが成す内角であるかしめ角度は、３６０／ｎ度となる構成であり、前記圧着構成型のそれぞれを、前記囲繞空間を同一形状に保ちながら縮小するように径内方向へ移動させて、複数の前記圧着構成型によって前記圧着部を、前記囲繞空間と同一形状にかしめることができる。
【００４２】
上述した構成によれば、複数の前記圧着構成型を、ぞれぞれの圧着面によって構成する囲繞空間を同一形状に保ちながら前記圧着部に向けて縮小する径内方向へ移動させて、前記圧着部を、前記囲繞空間と同一形状にかしめることにより、複数の前記圧着構成型のそれぞれによって、圧着部を外周側からより均等に圧着することができるため、前記圧着構成型の間部分に塑性変形した圧着部の肉が逃げてバリのような大きな突出部分が形成されることなく、圧着部を略円形状にかしめることができる端子圧着方法を提供することができる。
【００４３】
この発明は、導体を絶縁被覆で被覆した被覆電線における少なくとも、先端側の前記絶縁被覆を剥がして前記導体を露出させた導体先端部に対して、圧着端子における中空状に形成した圧着部をかしめて圧着接続した圧着接続構造体であって、前記圧着部をかしめて圧着する圧着構成型を、３以上の配置数で備えるとともに、前記圧着部の外周側に、周方向で隣り合うそれぞれが互いに面接触状態に配置し、前記圧着構成型は、前記圧着部をかしめるかしめ位置と、該かしめ位置よりも径外方向で前記圧着部に対して離間した非かしめ位置との間において、周方向で隣り合うそれぞれが互いに摺動しながら径方向に移動可能な構成であるとともに、前記圧着構成型における前記圧着部との対向面に、前記圧着部を圧着する圧着面を形成するとともに、前記圧着構成型における前記圧着部と対向しない非対向面に、周方向で隣接する圧着構成型における前記圧着面上を摺動する摺動面を形成した構成であり、前記圧着部に対して外周側に配置した複数の圧着構成型のそれぞれを、それぞれの前記圧着面によって前記圧着部を囲繞する囲繞空間が縮小するように前記摺動面を摺動させながら径内方向へ移動させて、複数の前記圧着構成型によって前記囲繞空間と同一形状にかしめて圧着した圧着部を備えたことを特徴とする。
【００４４】
上述した構成によれば、直交断面における外周面にバリのような大きな突出部分が存在しない円形、又は略円形状の圧着部を備えた圧着接続構造体を構成することができる。
【００４５】
この発明は、前記接続構造体を複数備えるとともに、前記接続構造体における前記圧着端子を収容可能なコネクタハウジングを備え、前記圧着端子を前記コネクタハウジング内に配置したワイヤハーネスであることを特徴とする。
【００４６】
上述した構成によれば、直交断面における外周面にバリのような大きな突出部分が存在しない円形、又は略円形状の圧着部を備えた複数の圧着接続構造体を構成できるため、このような複数の圧着接続構造体をコネクタハウジングに確実に配置することができる。従って、止水性が高く、コネクタ部分がコンパクトであるワイヤハーネスを構成することができる。
【発明の効果】
【００４７】
この発明によれば、絶縁被覆側から圧着部の内部への水分の浸入を確実に防止することができる端子圧着型、端子圧着装置、端子圧着方法、及び圧着接続構造体を得ることができる。
【図面の簡単な説明】
【００４８】
【図１】圧着端子付き電線の構成説明図。
【図２】端子圧着装置の説明図。
【図３】端子圧着装置の説明図。
【図４】圧着端子の圧着部に電線先端部を挿入する直前の様子を示す説明図。
【図５】圧着部を圧着している状態を示す縦断面図。
【図６】圧着部を圧着する際の端子圧着装置の作用説明図。
【図７】圧着部を圧着している状態を示す説明図。
【図８】第２実施形態の端子圧着装置の説明図。
【図９】第２実施形態の圧着構成型の構成説明図。
【図１０】第２実施形態の圧着構成型の作用説明図。
【図１１】他の圧着構成型の構成説明図。
【発明を実施するための形態】
【００４９】
この発明の一実施形態を以下図面に基づいて詳述する。  
（第１実施形態）
図１（ａ）は第１実施形態の圧着端子付き電線２００の先端部分の斜視図であり、図１（ｂ）は図１（ａ）のＡ−Ａ線断面図である。
【００５０】
第１実施形態の圧着端子付き電線２００は、図１に示すように、被覆電線２１０を雌型圧着端子２２０に接続して構成している。つまり、被覆電線２１０における電線先端部２１０Ｔに、雌型圧着端子２２０の圧着部２３５を圧着接続している。
【００５１】
雌型圧着端子２２０に圧着接続する被覆電線２１０は、アルミニウム素線２０１ａａを束ねたアルミニウム芯線２０１を、絶縁樹脂で構成する絶縁被覆２０２で被覆して構成している。詳しくは、アルミニウム芯線２０１は、断面が０．７５ｍｍ２となるように、アルミニウム合金線を撚って構成している。
【００５２】
電線先端部２１０Ｔは、被覆電線２１０の先端部分において、導体先端部２０１Ｔと被覆先端部２０２Ｔとを先端から基端側へこの順に直列に備えた部分である。
【００５３】
導体先端部２０１Ｔは、被覆電線２１０の前方側の絶縁被覆２０２を剥がしてアルミニウム芯線２０１を露出させた部分である。被覆先端部２０２Ｔは、被覆電線２１０の先端部分であるが、導体先端部２０１Ｔよりも後方側部分であって、アルミニウム芯線２０１を絶縁被覆２０２で被覆した部分である。
【００５４】
以下において、雌型圧着端子２２０について詳述する。  
雌型圧着端子２２０は、長手方向Ｘの先端側である前方から基端側である後方に向かって、図示省略する雄型端子における挿入タブの挿入を許容するボックス部２１１と、ボックス部２１１の後方で、所定の長さのトランジション部２１５を介して配置された圧縮部２３０とで一体に構成している。
【００５５】
なお、本実施形態では、上述したように、ボックス部２１１と圧縮部２３０を備えた雌型圧着端子２２０で構成したが、圧縮部２３０を有する圧着端子１０であれば、上述の雌型圧着端子２２０におけるボックス部２１１に挿入接続する挿入タブと圧着部３０とで構成する雄型圧着端子でも、圧縮部２３０のみで構成し、複数本の被覆電線２１０のアルミニウム芯線２０１を束ねて接続するための圧着端子であってもよい。
【００５６】
ここで、長手方向Ｘ（軸方向Ｘ）とは、図１（ａ）に示すように、雌型圧着端子２２０に対して被覆電線２１０を接続した圧着端子付き電線２００の長手方向Ｘと一致する方向である。さらに、長手方向Ｘにおける圧着部３０に対するボックス部２１１の側を前方（先端側）とし、逆に、ボックス部２１１に対する圧着部３０の側を後方（基端側）としている。
【００５７】
また、幅方向Ｙは雌型圧着端子２２０の幅方向に相当し、長手方向Ｘに対して平面方向において交差する方向である。厚み方向Ｚは、雌型圧着端子２２０の幅方向に相当し、長さ方向、及び幅方向に対して直交する直交方向である。
【００５８】
ボックス部２１１は、倒位の中空四角柱体で構成され、内部に、長手方向Ｘの後方に向かって折り曲げられ、挿入される雄型コネクタの挿入タブ（図示省略）に接触する弾性接触片２１２を備えている。
【００５９】
また、中空四角柱体であるボックス部２１１は、底面部の長手方向Ｘと直交する幅方向Ｙの両側部に連設された側面部を重なり合うように折り曲げて、長手方向Ｘの先端側から見て略矩形状に構成している。
【００６０】
圧縮部２３０は、封止部２３１と圧着部２３５とを前方から後方へこの順に配設するとともに、周方向全体において連続する形状で一体に形成している。  
封止部２３１は、圧着部２３５よりも前方端部を略平板状に押し潰すように変形させて、雌型圧着端子２２０を構成する板状の端子基材同士が重合する偏平形状で構成している。
【００６１】
圧着部２３５は、導体圧着部２３６、及び被覆圧着部２３７を、前方から後方側へこの順に連続して直列に配設している。  
圧着部２３５は、電線先端部２０１Ｔを圧着する前においては、被覆圧着部２３７から導体圧着部２３６にかけて電線先端部２１０Ｔを挿入可能に後方側のみが開口するとともに、先端側、及び周面部全体が開口せずに、周方向全体が軸方向Ｘの全長に亘って連続した中空形状（筒状）で構成している（図４参照）。
【００６２】
導体圧着部２３６は、電線先端部２１０Ｔを圧着部２３５に挿入した状態において、圧着部２３５の長手方向Ｘにおける導体先端部２０１Ｔに相当する部分であり、導体先端部２０１Ｔを囲繞可能な中空形状に形成している。  
図１（ａ）に示すように、導体圧着部２３６は、導体先端部２０１Ｔと圧着した状態において、上部を押潰した凹部２３６ａを有し、長手方向Ｘに対する直交断面がＵの字形状に形成している。
【００６３】
被覆圧着部２３７は、電線先端部２１０Ｔを圧着部２３５に挿入した状態において、圧着部２３５の長手方向Ｘにおける被覆先端部２０２Ｔに相当する部分であり、被覆先端部２０２Ｔを囲繞可能な中空形状に形成している。  
図１（ａ）、（ｂ）に示すように、被覆圧着部２３７は、被覆先端部２０２Ｔと圧着した状態において、長手方向Ｘに対する直交断面が正６角形の外周形状となるように形成している。
【００６４】
続いて、上述した圧着端子付き電線２００の製造装置の中でも主に、電線先端部２１０Ｔに対して圧着部を圧着する端子圧着装置１０を中心に図２、図３を用いて説明する。  
なお、図２は端子圧着装置１０の説明図であり、端子圧着型１００における被覆圧着型１３０、及び移動ユニット１５０におけるチャック２１の正面図である。図３は、電線先端部２１０Ｔを挿入した状態で圧着部配置箇所５００に配置した圧着部２３５、及び、端子圧着型１００の縦断面図である。
【００６５】
端子圧着装置１０は、アルミ二ウム芯線２０１を絶縁被覆２０２で被覆した被覆電線２１０における電線先端部２１０Ｔを、雌型圧着端子２２０における中空状に形成した圧着部２３５に挿入した状態で、圧着部２３５を端子圧着型１００でかしめて圧着する装置であり、圧着部２３５を圧着する端子圧着型１００と、端子圧着型１００を圧着部２３５に向けて移動可能な移動ユニット１５０で構成している。
【００６６】
端子圧着型１００について詳述すると、端子圧着型１００は、圧着工程において圧着部２３５を配置する圧着部配置箇所５００に供給された圧着部２３５をかしめて圧着可能に、圧着部配置箇所５００に対して外周側に配置し、導体圧着型１２０と、被覆圧着型１３０とで構成している。  
なお、圧着部配置箇所５００は、導体圧着部２３６を配置する導体圧着部配置箇所５１０と、被覆圧着部２３７を配置する被覆圧着部配置箇所５５０とで構成している。
【００６７】
導体圧着型１２０は、圧着部２３５の軸方向Ｘにおいて導体圧着部２３６をかしめて該導体圧着部２３６と導体先端部２０１Ｔとを圧着可能に、導体圧着部配置箇所５１０に対して、互いに対向状態に配置された１組のアンビル１２１（固定型）とクリンパ１２２（可動型）とで構成している。
【００６８】
被覆圧着型１３０は、被覆圧着部２３７をかしめて被覆圧着部２３７と導体先端部２０１Ｔとを圧着可能に、６角形にかしめた圧着後の被覆圧着部２３７における外周面に有する突部２３７ｔ（図１参照）の数に対応した６つの圧着構成型１１０で構成している。これら６つの圧着構成型１１０は、被覆圧着部配置箇所５５０に対して外周側に備え、それぞれを、被覆圧着部２３７の長手方向Ｘと略同じ厚みに形成するとともに、軸方向Ｘに対して直交する直交断面視正三角形状でそれぞれを同一形状に形成している。
【００６９】
直交断面視正三角形状を構成する圧着構成型１１０は、外周面における被覆圧着部２３７との対向面を、被覆圧着部２３７を圧着する圧着面１６０として形成するとともに、圧着構成型１１０における被覆圧着部２３７と対向しない非対向面であって、周方向で隣接する圧着構成型１１０における圧着面１６０上を摺動する面を、摺動面１７０として形成している。
【００７０】
また、図２に示すように、直交断面視正三角形状を構成する圧着構成型１１０の外周面における３つの隅角部分のうち、圧着面１６０と摺動面１７０とが成す内角を有する隅角部分を、被覆圧着部２３７の外周に突部２３７ｔを形成する突部形成内角部１８０に設定し、突部形成内角部の内角であるかしめ角度θを、３６０／ｎ度に構成している。
【００７１】
上述した６つの被覆圧着型１３０のぞれぞれは、被覆圧着部配置箇所５５０に対して外周側に、周方向で隣り合うそれぞれが互いに面接触状態に配置するように、移動ユニット１５０の後述するチャック２１によって保持される。
【００７２】
移動ユニット１５０は、かしめ位置Ｐｃと非かしめ位置Ｐｎとの間において、６つの圧着構成型１１０を、周方向で隣り合うそれぞれが互いに摺動しながら径方向に移動可能に構成し、被覆圧着部配置箇所５５０に対して外周側において、被覆圧着部配置箇所５５０に備えた被覆圧着部２３７をかしめるかしめ位置Ｐｃと、該かしめ位置Ｐｃよりも径外方向に有して、被覆圧着部２３７に対して離間した非かしめ位置Ｐｎとのいずれかに配置されるように移動可能に構成している。
【００７３】
詳述すると、移動ユニット１５０は、端子圧着型１００を保持する保持手段としてのチャック２１と、図示しない駆動源となるモータと、モータの動力をチャック２１へ伝達する図示しない動力伝達機構とで構成し、導体圧着型１２０と被覆圧着型１３０とのそれぞれを移動可能に構成している。
【００７４】
なお、チャック２１は、圧着構成型１１０の周方向の少なくとも圧着面１６０を除いた一部を着脱可能に保持する。動力伝達機構は、リンク機構やカム機構で構成し、モータの駆動力を利用してチャック２１を移動可能に構成している。  
圧着端子付き電線２００の製造装置には、上述した端子圧着装置１０の他にも、所定間隔を隔てて複数の雌型圧着端子２２０が鎖状に連なる図示しない端子鎖状連結帯体における雌型圧着端子２２０の圧着部２３５を圧着部配置箇所５００へ断続的に供給する端子供給手段や、圧着部配置箇所５００へ供給した圧着部に被覆電線２１０における電線先端部２１０Ｔを挿入する電線挿入手段などの適宜の構成を備えているが、これらの構成については、図示省略する。
【００７５】
続いて上述した端子圧着装置１０により雌型圧着端子２２０を圧着する端子圧着方法のうち、圧着部２３５と電線先端部２１０Ｔとを圧着する圧着工程を中心に図４乃至図７を用いて説明する。  
なお、図４は雌型圧着端子２２０の圧着部２３５に電線先端部２１０Ｔを挿入する直前の様子を示す説明図であり、雌型圧着端子２２０、及び電線先端部２１０Ｔの外観図である。図５（ａ）は圧着端子付き電線２００における圧着部２３５を端子圧着型１００で圧着している状態を示す縦断面図であり、図５（ｂ）は圧着状態の圧着部２３５を備えた圧着端子付き電線２００の先端側の縦断面図である。
図６は端子圧着型１００で被覆圧着部２３７をかしめる前のかしめ位置Ｐｃの様子を示す作用説明図である。図７は被覆圧着部２３７を圧着している状態を示す端子圧着装置１０の作用説明図である。
【００７６】
まず、電線挿入工程として、図４に示すように、被覆電線２１０における電線先端部２１０Ｔを雌型圧着端子２２０における圧着部２３５に、該圧着部２３５の先端側の内壁面に当接するまで挿入する。
【００７７】
これにより、被覆先端部２０２Ｔを、被覆圧着部２３７に相当する部分に挿入するとともに、導体先端部２０１Ｔを、導体圧着部２３６に相当する部分に挿入する。
【００７８】
その後に行う圧着工程においては、図３に示すように、導体先端部２０１Ｔを挿入した導体圧着部２３６を導体圧着部配置箇所５１０に配置するとともに、被覆先端部２０２Ｔを挿入した被覆圧着部２３７を被覆圧着部配置箇所５５０に配置する。この状態で導体圧着型１２０によって、図５（ａ）に示すように、導体圧着部２３６をかしめて導体圧着部２３６と導体先端部２０１Ｔを圧着するとともに、被覆圧着型１３０によって、被覆圧着部２３７をかしめて被覆圧着部２３７と被覆先端部２０２Ｔを圧着する。
【００７９】
詳しくは、導体圧着型１２０により導体圧着部２３６と、被覆電線２１０における導体先端部２０１Ｔとを圧着する際には、従来の圧着工程と同様に、アンビル１２１に導体圧着部２３６をセットし、クリンパ１２２を、図３に示す非かしめ位置Ｐｎから図５（ａ）に示すように、かしめ位置Ｐｃへ降下させて導体圧着部２３６を、長手方向Ｘに対する直交断面がＵ自形状になるようにアンビル１２１とともにかしめることで、導体先端部２０１Ｔに対して導体圧着部２３６を圧着接続する。
【００８０】
一方、被覆圧着型１３０により被覆圧着部２３７と、被覆電線２１０における被覆先端部２０２Ｔとを圧着する際には、図６に示すように、被覆圧着部配置箇所５５０に対して外周側の非かしめ位置Ｐｎにおいて、６つの圧着構成型１１０のそれぞれが周方向へ配置した状態となるようにチャック２１に装着する。
【００８１】
このとき、６つの圧着構成型１１０の内側には、これら６つの圧着構成型１１０のそれぞれの圧着面１６０によって、被覆圧着部配置箇所５５０を囲繞する正６角形の囲繞空間Ｚが構成される。
【００８２】
そして、移動ユニット１５０によって、６つの圧着構成型１１０のそれぞれを、径内方向のみに移動させるのではなく、図６中の矢印Ｄ１に示す方向、具体的には、所定の圧着構成型１１０（例えば、図６中の圧着構成型１１０Ｓ）に対して周方向の両側で隣り合う圧着構成型１１０，１１０のうち、該所定の圧着構成型１１０の圧着面１６０に対して摺動面１７０が接触する側で隣接する圧着構成型１１０（例えば、図６中の圧着構成型１１０Ｒ）に向けた方向へ任意の圧着構成型１１０を移動させる。換言すると、６つの圧着構成型１１０のそれぞれを、被覆圧着部配置箇所５５０に対して、径内方向成分と、径内方向に直交する直交方向成分とを合成した方向Ｄ１へ移動させる。
【００８３】
このように、移動ユニット１５０によって、６つの圧着構成型１１０のそれぞれを、上述した矢印Ｄ１方向へ移動させると、所定の圧着構成型１１０（例えば、図６中の圧着構成型１１０Ｓ）の摺動面１７０と、該摺動面１７０に接触する側で隣接する圧着構成型１１０（例えば、図６中の圧着構成型１１０Ｌ）の圧着面１６０とが摺動しながら移動する。
【００８４】
そして、移動ユニット１５０によって、６つの圧着構成型１１０のそれぞれを、非かしめ位置Ｐｎからかしめ位置Ｐｃに移動させるに伴って、囲繞空間Ｚが、非かしめ位置Ｐｎのときと同じ正６角形を保ちながら縮小させることができる。
【００８５】
これにより、最終的に、図７に示すように、かしめ位置Ｐｃにおいて圧着面１６０によって円筒状の被覆圧着部２３７を、囲繞空間Ｚと同一の正６角形にかしめることができ、図１（ｂ）に示すように、被覆圧着部２３７と被覆先端部２０２Ｔとを圧着する。  
以上により、図１（ａ）、及び図５（ｂ）に示すように、圧着部２３５と電線先端部２１０Ｔとを圧着接続して圧着端子付き電線２００を構成することができる。
【００８６】
上述した端子圧着装置１０を用いて端子圧着方法により製造した雌型圧着端子付き電線２００が奏する作用効果について説明する。  
上述した構成によれば、絶縁被覆２０２側から圧着部２３５の内部への水分の浸入を確実に防止することができる。  
詳しくは、電線先端部２１０Ｔと圧着部２３５とを圧着する際において、被覆先端部２０２Ｔと被覆圧着部２３７との圧着に着目すると、被覆圧着部２３７の外周に配置した上述した３つ以上の圧着構成型１１０のそれぞれによって被覆圧着部２３７を圧着できるため、クリンパ１２２とアンビル１２１との２つ一組で成る従来の圧着構成型で圧着する場合と比較して、被覆圧着部２３７を圧着する圧着力を周方向全体において、分散させてより均等にかしめることができる。
【００８７】
さらに、第１実施形態の端子圧着装置１０、及び端子圧着方法は、３以上である６つの圧着構成型１１０を互いに摺動させながら非かしめ位置Ｐｎから非かしめ位置Ｐｃへ移動させて圧着することができる。
【００８８】
このため、被覆圧着部２３７の外周側に配置した６つの圧着構成型同士の隙間に、圧着に伴って塑性変形した被覆圧着部２３７の肉が入り込むことを防ぐことができるため、被覆圧着部２３７の周方向における、隣接する圧着構成型１１０同士の間に相当する部分に、バリ等のように突出した突出部分が形成されることなく圧着することができる。
【００８９】
これにより、２つ一組で成る従来の圧着構成型で圧着した被覆圧着部のように、バリ等のように大きく突出した突出部分が存在することがなく、被覆圧着部２３７を、円形状、又は円形状に近い多角形状に圧着することができる。
【００９０】
従って、絶縁被覆２０２と被覆圧着部２３７との圧着部分において、被覆圧着部２３７を絶縁被覆２０２に対して周方向全体においてしっかりと密着させることができ、絶縁被覆２０２側から圧着部２３５の内部への水分の浸入を確実に防止することができる。
【００９１】
さらに、上述したように、絶縁被覆２０２の外周面には、２つ一組で成る従来の圧着構成型で圧着したように、バリ等のように大きな突出部分が形成されることがないため、圧着に伴って絶縁被覆２０２の外周における、特に、上述した突部２３７ｔに相当する部分に割れが生じることがないため、絶縁被覆２０２と被覆圧着部２３７との圧着部分には、被覆圧着部２３７の割れを通じて内部に水分が浸入するといった事態が生じることもなく、優れた止水性を確保することができる。
【００９２】
また、絶縁被覆２０２と被覆圧着部２３７との圧着部分において、被覆圧着部２３７を絶縁被覆２０２に対してしっかりと密着させることができるため、被覆電線２１０と雌型圧着端子２２０とを強固に圧着接続した雌型圧着端子付き電線２００を構成することができるため、雌型圧着端子２２０の圧縮部２３０から延出する被覆電線２１０が大きく屈曲した配索ルートで配索しても絶縁被覆２０２と被覆圧着部２３７との強固な接続を確保することができる。
【００９３】
また、圧着構成型１１０を、圧着面１６０と摺動面１７０との双方の面に直交する直交断面形状が正６角形となるように構成している。
【００９４】
上記構成によれば、直交断面形状が正６角形になるように構成することで圧着構成型１１０の全ての隅角部分の内角を、かしめ角度θと同じ角度、すなわち、６０度（３６０／６度）となるように構成することができる。
【００９５】
これにより、圧着構成型１１０における、いずれの頂点の内角についてもかしめ角度θと同じ６０度とすることができるため、圧着構成型１１０をいずれの頂点においても、圧着面１６０と摺動面１７０との間に構成する突部形成内角部１８０として配置することが可能となる。  
よって、圧着構成型１１０を被覆圧着部配置箇所５５０の外周側に配置する際の姿勢を意識せずにスムーズ、且つ、正確に配置することができる。
【００９６】
また、正６角形状の圧着構成型１１０の頂点の数に応じた姿勢で圧着構成型１１０を被覆圧着部配置箇所５５０の外周側に配置できるため、圧着構成型１１０の直交断面形状における特定の頂点部分を常に、圧着面１６０と摺動面１７０との間の頂点部分となるように配置する必要性がないため、特定の頂点部分のみに負荷が加わることを回避できるため、圧着構成型１１０の耐久性を向上させることができる。
【００９７】
また、端子圧着型１００を、被覆圧着部２３７を圧着する被覆圧着部２３７と、導体圧着部２３６を圧着する導体圧着型１２０とでそれぞれ異なる形状、配置数で構成することで、被覆圧着部２３７と導体圧着部２３６とのそれぞれを、それぞれの箇所に好適な形状で圧着することができる。
【００９８】
詳しくは、導体圧着部２３６を断面Ｕ字形状に圧着することで、導体圧着部２３６の周方向における特に、上部において、押潰した凹部２３６ａが形成されるように、優れた圧縮率で圧縮できるため、被覆先端部２０２Ｔに密着させて優れた導通性を得ることができる。
【００９９】
一方、被覆圧着部２３７を、正６角形に圧着することで、周方向全体を略均等に圧着できるため、被覆先端部２０２Ｔが過度に圧迫されることにより絶縁被覆２０２が断線するなどのおそれがなく、密着性を高めて隙間なく圧着できる。
【０１００】
このように、端子圧着型１００を、被覆圧着部２３７を圧着する被覆圧着部２３７と、導体圧着部２３６を圧着する導体圧着型１２０とでそれぞれ異なる形状、配置数で構成することで、被覆圧着部２３７と導体圧着部２３６とのそれぞれを、それぞれの圧着対象の特性に応じた好適な形状で圧着することができる。
【０１０１】
以下では、他の実施形態における端子圧着型１００Ａ，１００Ｂ，１００Ｃ，１００Ｄについて説明する。  
但し、以下で説明する端子圧着型１００Ａ，１００Ｂ，１００Ｃ，１００Ｄの構成のうち、上述した第１実施形態における端子圧着型１００と同様の構成については、同一の符号を付して、その説明を省略する。
【０１０２】
（第２実施形態）
第２実施形態の端子圧着型１００Ａは、図８、及び図９に示すように、６つの圧着構成型１１０Ａのそれぞれに、圧着面１６０と摺動面１７０との間の外角に相当する隅角部分に、径内方向に突出する曲面形成突片３００を形成している。  
なお、図８は第２実施形態の端子圧着装置１００Ａの構成、及び作用説明図である。図９（ａ）は第２実施形態の圧着構成型１１０Ａの説明図であり、図９（ｂ）は図８中のＸ部拡大図である。但し、図９（ｂ）においては、圧着面１６０と摺動面１７０との間の隙間を強調して広く図示している。
【０１０３】
詳述すると、まず、被覆圧着部配置箇所５５０に対して外周側に配置した６つの圧着構成型１１０Ａのうち、いずれか一つの圧着構成型１１０Ａを所定の圧着構成型１１０ＡＳに設定する。
【０１０４】
さらに、所定の圧着構成型１１０ＡＳに対して周方向において両隣で隣接する２つの圧着構成型１１０のうち、所定の圧着構成型１１０ＡＳの摺動面１７０が対向する側の圧着構成型１１０ＡＬ、すなわち、図８中において、時計と反対回り型で隣接する圧着構成型１１０Ａを、摺動面側隣接圧着構成型１１０ＡＬに設定する。
【０１０５】
曲面形成突片３００は、所定の圧着構成型１１０ＡＳの圧着面１６０と摺動面側隣接圧着構成型１１０ＡＬの圧着面１６０との間の隅角部分に備え、図９中の一部拡大図、及び図９（ｂ）に示すように、所定の圧着構成型１１０ＡＳの圧着面１６０から摺動面側隣接圧着構成型１１０ＡＬの圧着面１６０に沿って摺動面１７０が延長する形状に突出させて形成する。
【０１０６】
曲面形成突片３００における被覆圧着部２３７と対向する側の面、すなわち、曲面形成突片３００の内周面を、曲面状圧着面３１０として構成し、該曲面状圧着面３１０は、所定の圧着構成型１１０ＡＳの直線状の圧着面１６０と、他方の摺動面側隣接圧着構成型１１０ＡＬの直線状の圧着面１６０とを連続する滑らかな稜線で結ぶ所定の半径を有する円弧状に形成している。
【０１０７】
上述した構成の端子圧着型１００Ａにおける被覆圧着型１３０Ａを用いて被覆圧着部２３７Ａを圧着すると、圧着後に正６角形状に圧着されていた第１実施形態における被覆圧着部２３７の外周面における突部２３７ｔに相当する部分を、曲面形成突片３００における曲面状圧着面３１０でかしめることができる。  
このため、曲面形成突片３００によって被覆圧着部２３７Ａの周方向における突部２３７ｔに相当する部分を曲面状圧着面３１０に対応する円弧状にかしめることができ、被覆圧着部２３７Ａを略円形状に圧着することができる。
【０１０８】
従って、圧着後の被覆圧着部２３７Ａを、バリ等のように大きく突出したと突出部分が外周面に存在しない圧着形状で構成することができるため、絶縁被覆２０２と被覆圧着部２３７Ａとの圧着部分において、被覆圧着部２３７Ａを絶縁被覆２０２に対してしっかりと密着させることができ、絶縁被覆２０２側から圧着部２３５の内部への水分の浸入を確実に防止することができる。
【０１０９】
この発明の構成と、実施形態との対応において、  
この発明の圧着接続構造体は、実施形態の圧着端子付き電線２００に対応し、  
以下同様に、  
導体は、アルミニウム芯線２０１に対応し、  
圧着端子は、雌型圧着端子２２０に対応し、  
移動手段は、移動ユニット１５０に対応し、  
曲面形成突片の内周面は、曲面状圧着面１６０に対応するも、この発明は、上述の実施形態の構成のみに限定されるものではなく、請求項に示される技術思想に基づいて応用することができ、多くの実施の形態を得ることができる。  
例えば、前記圧着構成型は、第１実施形態の圧着構成型１１０のように、多角形状にかしめた圧着後の被覆圧着部２３７における外周面の突部２３７ｔの数に対応した任意の整数ｎを６に設定することに限定しない。すなわち、締結角度θは、６０度に限定せず、また、端子圧着型１００は、正三角で構成した圧着構成型１１０を６つ備えた構成に限定しない。
【０１１０】
具体的には、任意の整数ｎを３に設定し、図１１（ａ）に示すように、端子圧着型１００Ｂにおける被覆圧着型１３０Ｂは、締結角度θが１２０度である圧着構成型１１０Ｂを３つ備えた構成であってもよい。
【０１１１】
或いは、任意の整数ｎを４に設定し、図１１（ｂ）に示すように、端子圧着型１００Ｃにおける被覆圧着型１３０Ｃは、締結角度θが９０度である圧着構成型１１０Cを３つ備えた構成であってもよい。
【０１１２】
また、任意の整数ｎを８に設定し、図１１（ｃ）に示すように、端子圧着型１００Ｄにおける被覆圧着型１３０Ｄは、締結角度θが４５度である圧着構成型１１０Ｄを８つ備えた構成であってもよい。
【０１１３】
その他にも図示しないが、端子圧着型における被覆圧着型は、任意の整数ｎが５である場合のように、締結角度θが７２度である圧着構成型を５つ備えた構成であってもよく、また、任意の整数ｎが１である場合のように、締結角度θが１度である圧着構成型を３６０個備えた構成であってもよい。
【０１１４】
さらに、被覆圧着型は、上述したように、締結角度θと圧着構成型の配置数（ｎ）との積が３６０になるように圧着構成型を構成することが好ましいが、この構成に限らず、また、複数の圧着構成型、それぞれ異なる締結角度θで構成するなど、それぞれを異なる形状で構成してもよい。
【０１１５】
また、端子圧着型は、多角形状において、内角を全て締結角度と一致させて正多角形状に形成する必要がなく、また、多角形状を構成する辺（外周面）の長さは全て同じに構成する必要はない。
【０１１６】
第１実施形態の端子圧着型１００は、雌型圧着端子２２０の圧着部２３５の長手方向Ｘにおいて、絶縁被覆２０２の先端側を圧着する被覆圧着部２３７をかしめる被覆圧着型１３０と、導体先端部２０１Ｔを圧着する導体圧着部２３６をかしめる導体圧着型１２０とで構成したが、端子圧着型は、被覆圧着部２３７と導体圧着型１２０とは互いに別体に構成しても、一体に構成してもよい。
【０１１７】
被覆圧着型１３０と導体圧着型１２０とは、それぞれ異なる形状、大きさの圧着構成型１１０で構成するに限らず、互いに同じ形状、大きさで構成してもよい。
【０１１８】
また、第２実施形態の端子圧着型１００Ａは、曲面形成突片３００を、圧着構成型１１０の一部として一体に形成しても、圧着構成型１１０に対して着脱自在に別体で構成してもよい。
【０１１９】
例えば、曲面形成突片３００のみを、圧着構成型１１０よりも強度を高めるために別部材で形成する、或いは、熱処理などの強度を高めるための処理を施してもよい。
【０１２０】
曲面形成突片３００における曲面状圧着面１６０の曲面形状は、例えば、孤状、直線状、波状など連続する面形状であれば特に限定しない。
【符号の説明】
【０１２１】
１０…端子圧着装置
１００，１００Ａ…端子圧着型
１１０，１１０Ａ…圧着構成型
１１０Ｓ，１１０ＡＳ…所定の圧着構成型
１１０Ｌ，１１０ＡＬ…摺動面側隣接圧着構成型
１３０，１３０Ａ…被覆圧着型
１５０…移動ユニット
１６０…圧着面
１７０…摺動面
２００…圧着端子付き電線
２０１…アルミニウム芯線
２０１Ｔ…導体先端部
２０２…絶縁被覆
２１０…被覆電線
２２０…雌型圧着端子
２３５…圧着部
２３７…被覆圧着部
２３７Ａ…被覆圧着部
２３７ｔ…突部
３００…曲面形成突片
３１０…曲面状圧着面
θ…かしめ角度
Ｐｃ…かしめ位置
Ｐｎ…非かしめ位置
Ｚ…囲繞空間
【図１】
2015005363.tif 000003
【図２】
2015005363.tif 000004
【図３】
2015005363.tif 000005
【図４】
2015005363.tif 000006
【図５】
2015005363.tif 000007
【図６】
2015005363.tif 000008
【図７】
2015005363.tif 000009
【図８】
2015005363.tif 000010
【図９】
2015005363.tif 000011
【図１０】
2015005363.tif 000012
【図１１】
2015005363.tif 000013